(57)【要約】【課題】バラツキの小さい締結力でフードを本体ケースに強固に取り付けることが可能な照明器具を提供する。【解決手段】照明器具は、光源が設置される本体ケース１と、光源からの光が通過する筒状のフード２と、当該フード２の内周面２ａから突出した締結部（例えば、締結板４）と、締結部及び本体ケース１を貫通するボルト５と、ボルト５に締め付けられるナット６と、を備える。そして、本体ケース１の内側又はフード２の内側でボルト５にナット６が締め付けられることにより、本体ケース１とフード２とが互いに締結される。【選択図】図３
2019023985.tif 000002
【特許請求の範囲】
【請求項１】
光源が設置される本体ケースと、
前記光源からの光が通過する筒状のフードと、
前記フードの内周面から突出した締結部と、
前記締結部及び前記本体ケースを貫通するボルトと、
前記本体ケースの内側又は前記フードの内側で前記ボルトに締め付けられることにより、前記本体ケースと前記フードとを互いに締結させるナットと、
を備える、照明器具。
【請求項２】
前記締結部は、前記フードとは別の部品であり、
前記フードの内周面には、前記締結部が係合する係合受け部が形成されており、当該係合受け部は、前記締結部が係合したとき、前記フードに対して当該締結部が前記本体ケース側へ相対的に移動することを制限する、請求項１に記載の照明器具。
【請求項３】
前記係合受け部は、前記フードの前記内周面に全周に亘って形成された嵌合溝であり、
前記締結部は、環状であって、その外縁部の少なくとも一部が前記嵌合溝に嵌め込まれる、請求項２に記載の照明器具。
【請求項４】
前記締結部は、互いに連結されることで環状になる少なくとも２つの部品から構成されている、請求項３に記載の照明器具。
【請求項５】
前記フードの開口端部と前記本体ケースとの間に設けられるシール部材を更に備え、
前記シール部材は、前記本体ケースと前記フードの締結力により挟圧される、請求項１〜４の何れかに記載の照明器具。
【発明の詳細な説明】
【技術分野】
【０００１】
本発明は、スポットライト等の照明器具に関し、特に、光源が設置される本体ケースにフードを取り付ける技術に関する。
【背景技術】
【０００２】
照明器具の一例であるスポットライトには、端面に光源が設置された円柱状の本体ケースと、当該本体ケースに取り付けられる筒状のフードと、備えたものが存在する（例えば、特許文献１参照）。従来、この様なスポットライトでは、本体ケース及びフードのそれぞれに、互いに螺合するネジ溝が形成されており、フードを回転させて本体ケースのネジ溝にねじ込むことにより、フードが本体ケースに取り付けられていた。
【先行技術文献】
【特許文献】
【０００３】
【特許文献１】特開２００７−１９４１８８号公報
【発明の概要】
【発明が解決しようとする課題】
【０００４】
しかしながら、上述した従来のスポットライトでは、本体ケースからフードを簡単に取り外すことができる。このため、悪戯等でフードが取り外される虞があった。
【０００５】
又、スポットライトを屋外に設置する場合、スポットライトの防水性を向上させる必要がある。このため、フード内への水の浸入を防止する対策の１つとして、本体ケースとフードとの間にパッキン等のシール部材を介在させていた。しかし、従来のスポットライトでは、手作業でフードを本体ケースのネジ溝にねじ込む必要があったため、フードを締め付ける力にバラツキがあった。このため、フードと本体ケースとでシール部材を挟圧する力（即ち、シール部材を押し潰す力）にバラツキが生じる虞があった。
【０００６】
そこで本発明の目的は、バラツキの小さい締結力でフードを本体ケースに強固に取り付けることが可能な照明器具を提供することである。
【課題を解決するための手段】
【０００７】
本発明に係る照明器具は、光源が設置される本体ケースと、光源からの光が通過する筒状のフードと、当該フードの内周面から突出した締結部と、締結部及び本体ケースを貫通するボルトと、ボルトに締め付けられるナットと、を備える。そして、本体ケースの内側又はフードの内側でボルトにナットが締め付けられることにより、本体ケースとフードとが互いに締結される。
【０００８】
上記照明器具によれば、締結部及び本体ケース（ボルトが貫通する部分）を、ボルトへのナットの締付け時にこれらを受け止めるフード側及び本体ケース側の受止め部としてそれぞれ機能させることができる。よって、ボルトへのナットの締付けにより、フードを本体ケースに引き寄せて強固に締結させることができる。又、ボルトへのナットの締付けは、電動工具等を用いてトルクを管理して行うことができる。よって、本体ケースへのフードの取付作業時において、ナットを締め付ける力のバラツキを低減することができ、その結果として、フードの取付精度を向上させることができる。
【０００９】
上記照明器具において、締結部は、フードとは別の部品であり、フードの内周面には、締結部が係合する係合受け部が形成されていてもよい。ここで、係合受け部は、これに締結部が係合したとき、フードに対して当該締結部が本体ケース側へ相対的に移動することを制限する。この構成によれば、ボルトへのナットの締付けによって締結部に本体ケース側へ向けた力が生じた場合でも、係合受け部により、フードに対する締結部の相対的な移動が制限される。これにより、締結部を、フード側の受止め部として機能させることが可能になる。
【００１０】
一例として、係合受け部は、フードの内周面に全周に亘って形成された嵌合溝である。この構成において、締結部は、環状であって、その外縁部の少なくとも一部が嵌合溝に嵌め込まれることが好ましい。この場合、締結部は、互いに連結されることで環状になる少なくとも２つの部品から構成されていることが好ましい。この様な締結部によれば、締結部を、環状のままでは嵌めることのできない嵌合溝に嵌合させることが可能になる。
【００１１】
上記照明器具は、フードの開口端部と本体ケースとの間に設けられるシール部材を更に備えていてもよい。この場合、シール部材は、本体ケースとフードの締結力により、本体ケースとフードとによって挟圧されることが好ましい。上述した様に、電動工具等を用いてボルトへのナットの締付けを行うことにより、ナットを締め付ける力のバラツキを低減することができる。よって、シール部材を挟圧する力のバラツキも低減され、その結果として、照明器具におけるシール性のバラツキが低減される。
【発明の効果】
【００１２】
本発明によれば、照明器具において、バラツキの小さい締結力でフードを本体ケースに強固に取り付けることが可能になる。
【図面の簡単な説明】
【００１３】
【図１】実施形態に係るスポットライトを概念的に示した（Ａ）斜視図及び（Ｂ）側面図である。
【図２】図１（Ｂ）に示されたII−II線でのスポットライトの断面図である。
【図３】図２に示されたIII領域の拡大図である。
【図４】（Ａ）（Ｂ）締結板の構成を概念的に示した平面図である。
【図５】（Ａ）（Ｂ）本体ケースへのフードの取付方法を順に示した断面図である。
【図６】図１（Ｂ）に示されたVI−VI線でのスポットライトの断面図である。
【発明を実施するための形態】
【００１４】
以下、本発明をスポットライトに適用した実施形態について、具体的に説明する。
【００１５】
［１］スポットライト
図１（Ａ）及び（Ｂ）はそれぞれ、実施形態に係るスポットライトを概念的に示した斜視図及び側面図である。図２は、図１（Ｂ）に示されたII−II線でのスポットライトの断面図であり、図３は、図２に示されたIII領域の拡大図である。図１（Ａ）〜図３に示される様に、スポットライトは、本体ケース１と、フード２と、ＬＥＤ光源３と、を備える。
【００１６】
本体ケース１は、有底円筒体１１と、当該有底円筒体１１の開口１１ａを塞ぐ蓋体１２と、から構成されている。そして、有底円筒体１１の外底面（底部１３の外側の面）を本体ケース１の前面１ａとして、当該前面１ａにＬＥＤ光源３が設置されている。具体的に、本体ケース１の前面１ａには、中央部１３１と、周縁部１３２と、それらの間の領域であって中央部１３１を包囲する中間部１３３と、当該中間部１３３から中央部１３１を突出させる段差部１３４と、が設けられており（図３参照）、そのうちの中央部１３１にＬＥＤ光源３が設置されている。スポットライトの使用時には、本体ケース１の前面１ａが、ＬＥＤ光源３からの光を照射する方向に向けられる。
【００１７】
有底円筒体１１は、放熱性の高いアルミニウム等の材料を用いてダイキャスト等で成形される。又、有底円筒体１１において、底部１３は、筒部１４に比べて厚く形成される。よって、ＬＥＤ光源３で生じた熱は、有底円筒体１１の筒部１４に効率良く伝達されて外部に放出される。
【００１８】
本実施形態では更に、本体ケース１の前面１ａにレンズ８１が設置されている。このレンズ８１は、ＬＥＤ光源３からの光を通過させて照明光を形成する光学部品である。具体的には、前面１ａに設けられた段差部１３４に係合溝１３４ａが形成されており、レンズ８１には、係合溝１３４ａに係合する爪部８１ａが設けられている。そして、当該爪部８１ａが係合溝１３４ａに係合することにより、レンズ８１が、本体ケース１の前面１ａに取り付けられる。
【００１９】
本体ケース１には、ＬＥＤ光源３に電力を供給するための電源ユニット８３（図２参照）及び配線（不図示）が収納される。尚、本体ケース１内には、電源ユニット８３に限らず、フィン等の放熱部品が収納されてもよい。
【００２０】
フード２は、円筒状であり、ＬＥＤ光源３からの光が通過する様に本体ケース１の前面１ａに取り付けられる。具体的には、フード２は、ＬＥＤ光源３を包囲する様に取り付けられる。尚、フード２を本体ケース１に取り付けるための取付構造の詳細については、後述する。フード２内には、ＬＥＤ光源３の他に、レンズ８１が収納される。又、フード２内には、ＬＥＤ光源３からの光を反射して照明光の一部を形成するドーム状の反射板８２が収納されてもよい（図２参照）。
【００２１】
フード２は、放熱性の高いアルミニウム等の材料を用いて押出成形やダイキャスト等で成形される。よって、ＬＥＤ光源３で生じた熱は、フード２からも効率良く外部に放出される。
【００２２】
上記スポットライトにおいて、本体ケース１及びフード２は何れも円筒状であり、又、それぞれの外径が同じである。更に、フード２は、本体ケース１に対して、それぞれの外周面１ｂ及び２ｂが互いに段差なく揃う様に取り付けられている（図１（Ａ）及び（Ｂ）参照）。尚、本体ケース１及びフード２の形状は、これに限らず、以下に説明する取付構造（本体ケース１へのフード２の取付構造）を適用することが可能な種々の形状に変形されてもよい。
【００２３】
［２］取付構造及び取付方法
本体ケース１へのフード２の取付構造及び取付方法について、具体的に説明する。尚、図５（Ａ）及び（Ｂ）は、本体ケース１へのフード２の取付方法を順に示した断面図である。又、図６は、図１（Ｂ）に示されたVI−VI線でのスポットライトの断面図であり、本体ケース１にフード２が取り付けられたときの状態を本体ケース１の内側から見た図である。
【００２４】
図２及び図３に示される様に、スポットライトは、本体ケース１にフード２を取り付けるための取付具として、締結板４（特許請求の範囲に記載の「締結部」に相当）と、ボルト５と、ナット６と、を更に備える。
【００２５】
締結板４は、フード２の内周面２ａから突出する様に、フード２の内周面２ａに沿って環状に設けられる平板である。本実施形態では、締結板４は、フード２とは別の部品である。
【００２６】
具体的には、フード２の内周面２ａに、全周に亘って嵌合溝２ｃが形成されている。又、嵌合溝２ｃは、本体ケース１側に位置するフード２の開口２１ａ（図５（Ａ）参照）に近い位置（具体的には、当該開口２１ａから所定の距離だけ離れた位置）に設けられている。そして、当該嵌合溝２ｃに締結板４の外縁部４ａが嵌め込まれることにより、締結板４は、フード２の内周面２ａに設けられている。
【００２７】
従って、締結板４は、嵌合溝２ｃにより、フード２に対する本体ケース１側への相対的な移動が制限されている。即ち、嵌合溝２ｃは、これに締結板４が係合したとき、フード２に対して締結板４が本体ケース１側へ相対的に移動することを制限する係合受け部として機能する。尚、嵌合溝２ｃによれば、締結板４は、フード２に対する本体ケース１とは反対側への相対的な移動も制限される。
【００２８】
図４（Ａ）及び（Ｂ）は、締結板４のより具体的な構成を概念的に示した平面図である。図４（Ａ）に示される様に、締結板４は、互いに連結されることで環状になる２つの部品４１から構成されている。本実施形態では、２つの部品４１は、何れもＣ字状の平板であり、両端部が２つのネジ４２でそれぞれ連結されることにより環状になる。一例として、部品４１は、強度の高い亜鉛鋼板等の板材で形成される。
【００２９】
締結板４を嵌合溝２ｃに嵌める場合、ネジ４２の１つを外して何れか一方の端部の連結を解除し、それと共に他方の端部をヒンジとして機能させることにより、２つの部品４１を互いに交差させる（図４（Ｂ）参照）。そして、交差させた状態で部品４１をフード２内に挿入する。その後、嵌合溝２ｃの位置で、部品４１を開いて環状にしつつ嵌合溝２ｃに嵌め、連結が解除されている端部をネジ４２で留める。この様に、本実施形態の締結板４によれば、当該締結板４を、環状のままでは嵌めることのできない嵌合溝２ｃに嵌合させることが可能になる。
【００３０】
尚、締結板４は、２つに限定されない複数の部品で環状に構成されてもよい。又、部品の形状は、Ｃ字状に限らず、締結板４を構成する部品の数や嵌合溝２ｃの形状等に応じて適宜変更すること可能である。更に、上記ヒンジとして機能させる端部の構成は、ネジ４２を軸としたものに限らず種々の変形が可能である。
【００３１】
本実施形態では、図４（Ａ）に示される様に、締結板４の外縁部４ａには直線状の部分が設けられている。従って、嵌合溝２ｃには、締結板４の外縁部４ａの一部である円弧状の部分が嵌め込まれる。尚、締結板４の外周縁全体が円形状であって、外縁部４ａの全体が嵌合溝２ｃに嵌め込まれてもよい。
【００３２】
ボルト５は、締結板４及び本体ケース１を貫通する（図３参照）。具体的には、締結板４には、ボルト５を螺合させるネジ穴４ｂが形成されている。又、本体ケース１の底部１３に、ボルト５を貫通させる貫通孔１ｃが形成されている。具体的には、貫通孔１ｃは、本体ケース１の前面１ａに設けられた中間部１３３を通る位置に配されている。そして、本実施形態では、ネジ穴４ｂ及び貫通孔１ｃが２組設けられており、それぞれの組に１つずつ対応させてボルト５が２本設けられている（図２参照）。尚、ボルト５の本数は、２本に限定されない複数本であってもよい。この場合、ネジ穴４ｂ及び貫通孔１ｃの組数は、ボルト５の本数に応じて適宜変更される。
【００３３】
図５（Ａ）に示される様に、ボルト５は、その頭部５１が締結板４に対してフード２の開口２１ａ（本体ケース１側に位置する開口）とは反対側に位置する様に、締結板４のネジ穴４ｂにねじ込まれる。或いは、締結板４のネジ穴４ｂにボルト５がねじ込まれた状態で、頭部５１がフード２の開口２１ａとは反対側に位置する様に、締結板４が嵌合溝２ｃに嵌められる。
【００３４】
そして、ボルト５の長さは、次の様に規定されている。即ち、締結板４を介してフード２にボルト５が取り付けられたとき（図５（Ａ）参照）、ボルト５の一部が所定長さ又はそれ以上にフード２の開口２１ａから外側へ突出する様に、ボルト５全体の長さが決められている。ここで、所定長さは、フード２を本体ケース１に取り付ける際に（図５（Ｂ）参照）、ボルト５を本体ケース１の底部１３に貫通させた状態で、当該ボルト５に、本体ケース１の内側からナット６を締め付けることが可能になる長さである。
【００３５】
ナット６は、ボルト５が本体ケース１の貫通孔１ｃに通された後、本体ケース１の内側でボルト５に締め付けられる（図５（Ｂ）及び図６参照）。このとき、図３に示される様に、締結板４にボルト５がねじ込まれてそれらが互いに結合した状態である（或いは、ボルト５の頭部５１が本体ケース１とは反対側から締結板４に接触する）ことに加えて、本体ケース１の内側からナット６が底部１３に接触する。このため、締結板４は、ボルト５へのナット６の締付け時にこれらを受け止めるフード２側の受止め部として機能し、底部１３は、本体ケース１側の受止め部として機能する。よって、ボルト５へのナット６の締付けにより、ボルト５の端部が本体ケース１内に引き込まれ、これに伴ってフード２が本体ケース１に引き寄せられる。
【００３６】
そして、フード２の開口端部２１が本体ケース１の前面１ａ（本実施形態では、周縁部１３２）で受け止められることにより、ボルト５へのナット６の締付けに必要な力が大きくなり、その結果として、本体ケース１とフード２とを互いに締結させる締結力（具体的には、フード２の中心軸方向において互いに引き合う力）が大きくなる。
【００３７】
本実施形態のスポットライトでは、この様な取付構造により、本体ケース１とフード２とが互いに強固に締結される。しかも、上記取付構造は、スポットライトの内部に構築されている。よって、外部からではフード２を本体ケース１から取り外すことができず、従って、悪戯等でフード２が取り外されることが防止される。
【００３８】
又、本実施形態では、本体ケース１の底部１３が厚く形成されている。従って、貫通孔１ｃにボルト５を通したときのボルト５の傾きが制限され、その結果として、取付作業が容易になる。
【００３９】
上記取付構造において、締結板４は、嵌合溝２ｃに嵌まることで、フード２に対する中心軸方向における相対的な移動（即ち、本体ケース１側への移動及びそれとは逆側への移動）が制限される一方で、フード２に対する周方向における相対的な回転は制限されない。よって、取付作業時において、締結板４に結合されたボルト５は、周方向における位置を変化させることが可能である。よって、本体ケース１に設けられた貫通孔１ｃへのボルト５の挿入が容易になり、その結果として、取付作業が容易になる。
【００４０】
更に上記取付構造において、ボルト５へのナット６の締付けは、電動工具等を用いてトルクを管理して行うことができる。よって、本体ケース１へのフード２の取付作業時において、ナット６を締め付ける力のバラツキを低減することができ、その結果として、フード２の取付精度を向上させることができる。その一例として、以下に説明する様に、シール性のバラツキを低減することができる。
【００４１】
本実施形態のスポットライトは、シール部材７を更に備える（図３参照）。具体的には、シール部材７は、弾力性を有するパッキン等の環状のシール部材であり、フード２の開口端部２１と、本体ケース１の前面１ａに設けられた周縁部１３２と、の間に配される。そして、シール部材７は、本体ケース１とフード２との締結力により、開口端部２１と周縁部１３２とによって挟圧される。
【００４２】
上述した様に、ナット６を締め付ける力のバラツキが低減されることにより、シール部材７を挟圧する力のバラツキも低減される。よって、スポットライトにおけるシール性のバラツキが低減され、その結果として、スポットライト内に水が浸入するリスクが低減される。
【００４３】
又、上述した様に、締結板４は嵌合溝２ｃに対して固定されていないため、本体ケース１へのフード２の取付け状態においてフード２は本体ケース１に対して回転し得る。本実施形態では、本体ケース１とフード２との締結力でシール部材７が挟圧されるため、そのときにシール部材７に生じる本体ケース１及びフード２との摩擦力により、本体ケース１に対するフード２の回転が制限される。
【００４４】
［３］変形例
上述したスポットライトは、本発明の実施形態の一例であり、種々の変形が可能である。以下、幾つかの変形例について説明する。
【００４５】
＜変形例１＞
上記スポットライトは、例えば、屋内に設置される場合や、屋外であっても雨水に晒され難い環境下に設置される場合には、本体ケース１とフード２との間にシール部材７を介在させない構成であってもよい。この構成であっても、本体ケース１とフード２とが互いに強固に締結されるため、悪戯等でフード２が取り外されることが防止される。又、本体ケース１へのフード２の取付作業時において、ナット６を締め付ける力のバラツキを低減することができ、その結果として、フード２の取付精度を向上させることができる。
【００４６】
＜変形例２＞
上記スポットライトにおいて、ボルト５が本体ケース１側から貫通孔１ｃに挿入され、フード２側でボルト５にナット６が締め付けられてもよい。
【００４７】
＜変形例３＞
上記スポットライトにおいて、締結板４に代えて、当該締結板４と同じ機能を果たす他の締結部がフード２の内周面２ａに設けられてもよい。例えば、締結部は、フード２と一体的に形成されて当該フード２の内周面２ａから突出したものであってもよいし、フード２とは別の部品であって当該フード２の内周面２ａに固定されたものであってもよい。これらの場合、締結部は、環状でなくてもよく、ボルト５の位置に応じてフード２の内周面２ａに部分的に形成されてもよい。又、締結部は、平板状にかぎらず、厚みのある部品であってもよい。更に、締結部が環状の部品であっても、嵌合溝２ｃは、必ずしもフード２の内周面２ａに全周に亘って形成されている必要はなく、締結部が嵌合する箇所に部分的に設けられてもよい。
【００４８】
＜変形例４＞
上記スポットライトにおいて、フード２の内周面２ａには、嵌合溝２ｃに代えて、フード２に対して締結部が本体ケース１側へ相対的に移動することを制限する他の係合受け部が形成されていてもよい。一例として、係合受け部は、締結部の係合位置に形成された段差部であって、本体ケース１側の内径を小さくして当該本体ケース１側への締結部の移動を制限するものであってもよい。他の例として、係合受け部は、締結部の係合位置に形成された突出部であってもよい。段差部及び突出部は、内周面２ａに全周に亘って形成されてもよいし、締結部の移動を制限できる範囲内で部分的に形成されてもよい。
【００４９】
＜変形例５＞
上述の実施形態及び変形例の説明は、すべての点で例示であって、制限的なものではないと考えられるべきである。本発明の範囲は、上述の実施形態又は変形例ではなく、特許請求の範囲によって示される。更に、本発明の範囲には、特許請求の範囲と均等の意味及び範囲内での全ての変更が含まれることが意図される。
【００５０】
例えば、上述した取付構造の各部構成は、スポットライトに限らず、フードを備えた種々の照明器具に適用することができる。
【符号の説明】
【００５１】
１  本体ケース
１ａ  前面
１ｂ  外周面
１ｃ  貫通孔
２  フード
２ａ  内周面
２ｂ  外周面
２ｃ  嵌合溝
３  ＬＥＤ光源
４  締結板
４ａ  外縁部
４ｂ  ネジ穴
５  ボルト
６  ナット
７  シール部材
１１  有底円筒体
１１ａ  開口
１２  蓋体
１３  底部
１４  筒部
２１  開口端部
２１ａ  開口
４１  部品
４２  ネジ
５１  頭部
８１  レンズ
８１ａ  爪部
８２  反射板
８３  電源ユニット
１３１  中央部
１３２  周縁部
１３３  中間部
１３４  段差部
１３４ａ  係合溝
【図１】
2019023985.tif 000003
【図２】
2019023985.tif 000004
【図３】
2019023985.tif 000005
【図４】
2019023985.tif 000006
【図５】
2019023985.tif 000007
【図６】
2019023985.tif 000008